(57)【要約】    【課題】待受状態である親機の合成インピーダンスの影響を受けずに通話信号線のインピーダンスを理想的な値とし、この通話信号線を介して親機および集合玄関機の間で行われる通話の通話品質を高める。    【解決手段】複数の親機１ａ、１ｂ、・・・のうち、集合玄関機からの呼び出しがなく通話も行われていない待受状態である親機は、制御装置３へと接続される通話信号線Ｌ1と当該親機との間の通話ラインをリレーが用いられたスイッチ１４ｂを開成させて電気的に切断し、当該通話信号線を伝送される信号の周波数帯域を１０ｋＨｚ以下とするように特性を持たせることにより、この周波数帯域において、待受状態である親機の合成インピーダンスの影響を受けずに通話信号線のインピーダンスは理想的な値となるばかりでなく、集合玄関機のマイクから入力された音声が当該集合玄関機の拡声スピーカから出力されるようなハウリングの発生を防止でき、通話信号線を介して親機および集合玄関機の間で行われる通話の通話品質が高められる。    【選択図】図２
2005117471.tif 000002
【特許請求の範囲】
【請求項１】
集合住宅のそれぞれの住戸に設けられ、通話を行うための複数の親機（１ａ、１ｂ、・・・）と、前記集合住宅の玄関に設けられ、少なくとも１つの通話路を形成するための通話信号線（Ｌ1）を用いて前記親機との間で通話を行う集合玄関機（２）と、前記集合住宅の管理室等の共用部に設けられ、データ信号線（Ｌ2）を用いて前記親機および前記集合玄関機の間の通話制御を処理するための制御装置（３）とで構成され、前記親機と前記制御装置とを前記通話信号線および前記データ信号線に接続し、前記通話信号線は１つの通話路に対して２本の配線により構成されて周波数帯域が１０ｋＨｚ以下の信号を伝送するものであり、
前記親機は、前記通話信号線の２本の配線間に抵抗性および容量性のインピーダンス成分を内在しており、前記通話信号線からの信号を処理するための制御回路（１３）と、前記通話が行われていないときに前記通話信号線および前記親機の間を電気的に切断するためのスイッチ（１４ａ、１４ｂ）とを備えたことを特徴とする集合住宅インターホンシステム。
【請求項２】
前記スイッチとして、リレーを用いることを特徴とする請求項１記載の集合住宅インターホンシステム。
【請求項３】
前記親機は、前記通話信号線の２本の配線間に避雷素子（１５）を備え、前記避雷素子は、前記制御回路と前記スイッチとの間に配置したことを特徴とする請求項１または請求項２記載の集合住宅インターホンシステム。
【請求項４】
前記親機は、前記通話信号線の２本の配線間に過電圧保護回路（１６）を備え、前記過電圧保護回路は、前記制御回路と前記スイッチとの間に配置したことを特徴とする請求項１乃至請求項３のうち何れか１項記載の集合住宅インターホンシステム。
【請求項５】
前記親機は、前記集合玄関機からの音声を拡声スピーカ（１０）を用いて出力することを特徴とする請求項１乃至請求項４のうち何れか１項記載の集合住宅インターホンシステム。
【発明の詳細な説明】
【技術分野】
【０００１】
本発明は集合住宅インターホンシステムに係り、特に、通話信号線を介して親機および集合玄関機の間で通話を行うにあたり、通話品質を高めた集合住宅インターホンシステムに関する。
【背景技術】
【０００２】
従来から、この種の集合住宅インターホンシステムとして、図３のシステム構成図に示す集合住宅インターホンシステムが提案されている。
【０００３】
図３のシステム構成図に示す複数の親機５１ａ、５１ｂ、・・・は、通話信号線（以下、親機側通話信号線という。）Ｌ51の２本の配線間に抵抗性および容量性のインピーダンス成分を内在しているため、集合玄関機５２からの呼び出しがなく通話も行われていない待受状態において、親機側通話信号線Ｌ51の２本の配線間と当該親機内部とのインピーダンスは周波数が高くなるほど小さくなる性質を有しており、具体的には、１０ｋＨｚの周波数において最も小さい５０〜１００ｋΩのインピーダンスの値となる。
【０００４】
一方、図３のシステム構成図に示す複数の親機５１ａ、５１ｂ、・・・のうち、集合玄関機５２から呼び出され当該集合玄関機との間で通話が行われている特定の親機内部のインピーダンスと親機側通話信号線Ｌ51の２本の配線間とのインピーダンスは、通常１〜２ｋΩの値を示しており、待受状態のインピーダンスと比較して１０倍以上と十分に大きいため、全体のインピーダンスから見れば無視できる大きさであった。
【０００５】
なお、従来例の集合住宅インターホンシステムについては、記載すべき先行技術文献情報はない。
【発明の開示】
【発明が解決しようとする課題】
【０００６】
しかしながら、従来例の集合住宅インターホンシステムを、より複数の住戸を有する高層化、大型化された集合住宅に適用するにあたり、１台あたりの親機内部のインピーダンスが十分に大きい場合であっても親機側通話信号線Ｌ51にバス接続される親機の台数が増えることにより、待受状態である親機の合成インピーダンスが無視できないほど小さな値になる。例えば、待受状態のインピーダンスが１００ｋΩである親機が２００台接続された場合、合成インピーダンスは５００Ωとなり、通話状態である親機のインピーダンスに影響を与えるほど小さくなってしまい、このインピーダンス成分によって、集合玄関機５２のマイク６０から入力された送話音声が通話信号線（以下、玄関機側通話信号線という。）Ｌ53、制御装置５３、親機側通話信号線Ｌ51、制御装置５３、玄関機側通話信号線Ｌ53を介して集合玄関機５２の拡声スピーカ６１へと帰還されハウリングが発生する虞があった。
【０００７】
また、従来例の集合住宅インターホンシステムにおいて、複数の親機５１ａ、５１ｂ、・・・の内部は、抵抗性および容量性のインピーダンス成分を内在しているため、待受状態である親機は、抵抗性のインピーダンスと容量性インピーダンスとの関連により親機側通話信号線Ｌ51の２本の配線間からの帰還量が増大する可能性があり、この場合、通話状態である親機では、さらに大きなハウリングが発生していた。
【０００８】
また、従来例の集合住宅インターホンシステムにおいて、親機側通話信号線Ｌ51に異常が発生した場合に備えて当該親機内部に避雷素子および／または過電圧保護回路を設けることもできるが、これらの部品は親機側通話信号線Ｌ51の２本の配線間において常に特定のインピーダンス成分を有しているため、親機１台あたりのインピーダンスが低下する難点があった。
【０００９】
さらに、従来例の集合住宅インターホンシステムにおいて、上述の難点を解消するためには、呼出元である集合玄関機５２から玄関機側通話信号線Ｌ53、制御装置５３、親機側通話信号線Ｌ51を介して呼出相手先である親機へと伝送される音声信号、例えば、２ｋＨｚを超える音声信号の周波数帯域を意図的に狭くしてハウリングを防止させる方法が好適であったが、集合玄関機５２からの音声信号を親機拡声スピーカ６０から出力する場合には、ハンドセットのレシーバから出力する場合と比較して通話品質が著しく低くなる難点があった。
【００１０】
本発明は、上述の難点を解消するためになされたもので、待受状態である親機の合成インピーダンスの影響を受けずに通話信号線のインピーダンスを理想的な値とし、この通話信号線を介して親機および集合玄関機の間で行われる通話の通話品質を高めた集合住宅インターホンシステムを提供することを目的としている。
【課題を解決するための手段】
【００１１】
上述の目的を達成するため、本発明の第１の態様である集合住宅インターホンシステムは、集合住宅のそれぞれの住戸に設けられ、通話を行うための複数の親機と、集合住宅の玄関に設けられ、少なくとも１つの通話路を形成するための通話信号線を用いて親機との間で通話を行う集合玄関機と、集合住宅の管理室等の共用部に設けられ、データ信号線を用いて親機および集合玄関機の間の通話制御を処理するための制御装置とで構成され、親機と制御装置とを通話信号線およびデータ信号線に接続し、通話信号線は、１つの通話路に対して２本の配線により構成されて周波数帯域が１０ｋＨｚ以下の信号を伝送するものであり、親機は、通話信号線の２本の配線間に抵抗性および容量性のインピーダンス成分を内在しており、通話信号線からの信号を処理するための制御回路と、通話が行われていないときに通話信号線および親機の間を電気的に切断するためのスイッチとを備えている。
【００１２】
また、本発明の第２の態様は本発明の第１の態様の集合住宅インターホンシステムにおいて、スイッチとして、リレーを用いている。
【００１３】
また、本発明の第３の態様は本発明の第１または第２の態様の集合住宅インターホンシステムにおいて、親機は、通話信号線の２本の配線間に避雷素子を備え、避雷素子は、制御回路とスイッチとの間に配置したものである。
【００１４】
また、本発明の第４の態様は本発明の第１乃至第３の態様の集合住宅インターホンシステムにおいて、親機は、通話信号線の２本の配線間に過電圧保護回路を備え、過電圧保護回路は、制御回路とスイッチとの間に配置したものである。
【００１５】
また、本発明の第５の態様は本発明の第１乃至第４の態様の集合住宅インターホンシステムにおいて、親機は、集合玄関機からの音声を拡声スピーカを用いて出力するものである。
【発明の効果】
【００１６】
本発明の集合住宅インターホンシステムによれば、複数の親機のうち、集合玄関機からの呼び出しがなく通話も行われていない待受状態である親機は、制御装置へと接続される通話信号線と当該親機との間の通話ラインをリレーが用いられたスイッチを開成させて電気的に切断し、当該通話信号線を伝送される信号の周波数帯域を１０ｋＨｚ以下とするように特性を持たせることにより、この周波数帯域において、待受状態である親機の合成インピーダンスの影響を受けずに通話信号線のインピーダンスは理想的な値となるばかりでなく、集合玄関機のマイクから入力された音声が当該集合玄関機の拡声スピーカから出力されるようなハウリングの発生を防止でき、通話信号線を介して親機および集合玄関機の間で行われる通話の通話品質が高められる。
【００１７】
また、本発明の集合住宅インターホンシステムによれば、複数の親機において、通話信号線の２本の配線間であり制御回路とスイッチとの間に避雷素子を配置したことにより、避雷素子が有するインピーダンスに影響されることなく、通話信号線のインピーダンスは理想的な値となる。
【００１８】
また、本発明の集合住宅インターホンシステムによれば、複数の親機において、通話信号線の２本の配線間であり制御回路とスイッチとの間に過電圧保護回路を配置したことにより、過電圧保護回路が有するインピーダンスに影響されることなく、通話信号線のインピーダンスは理想的な値となる。
【発明を実施するための最良の形態】
【００１９】
以下、本発明の集合住宅インターホンシステムを適用した最良の実施の形態例について、図面を参照して説明する。
【００２０】
図１は、本発明の実施例による集合住宅インターホンシステムを示すシステム構成図である。
【００２１】
図１のシステム構成図に示す集合住宅インターホンシステムは、集合住宅のそれぞれの住戸に設けられており、集合住宅の玄関（以下、集合玄関という。）に居る来訪者からの呼び出しに応答した住戸内に在室中の居住者が当該来訪者との間で通話を行うための複数の親機１ａ、１ｂ、・・・と、集合住宅の集合玄関に設けられており、来訪者が特定の居住者を呼び出して通話を行うための集合玄関機２と、集合住宅の管理室等の共用部に設けられており、通話信号線（以下、親機側通話信号線という。）Ｌ1、データ信号線（以下、親機側データ信号線という。）Ｌ2を介してそれぞれバス接続された複数の親機１ａ、１ｂ、・・・および通話信号線（以下、玄関機側通話信号線という。）Ｌ3、データ信号線（以下、玄関機側データ信号線という。）Ｌ4を介して接続された集合玄関機２を制御（信号処理による呼出制御、通話・映像伝送路制御等）するための制御装置３とで構成されている。
【００２２】
なお、図１のシステム構成図において、上述の親機側通話信号線Ｌ1および玄関機側通話信号線Ｌ3は、少なくとも１つの通話路を形成して周波数帯域が１０ｋＨｚ以下の信号を伝送するための信号線であり、１つの通話路に対して２本の配線により構成されている。
【００２３】
図１のシステム構成図において、複数の親機１ａ、１ｂ、・・・はそれぞれ同様な構成であり、集合玄関機２からの呼び出しを報知するための呼出音および当該集合玄関機からの音声である来訪者の受話音声を出力する拡声スピーカ（以下、親機拡声スピーカという。）１０と、親機拡声スピーカ１０とともに居住者が通話を行うために用いられ、当該居住者の送話音声が入力される親機マイク１１と、集合玄関機２の後述するカメラ２３にて撮像された映像を出画するためのＬＣＤ（Liquid Crystal Display）、有機ＥＬ（Electro Luminescence）等のモニタ１２とを有しており、当該親機内部は、親機側通話信号線Ｌ1の２本の配線間に、抵抗性および容量性のインピーダンス成分を内在している。
【００２４】
また、図１のシステム構成図において、集合玄関機２は、来訪者が特定の居住者を呼び出すために操作する呼出部２０と、来訪者が呼出先である居住者との間で通話を行うための音声（送話音声、受話音声）を入出力する玄関機マイク２１および拡声スピーカ（以下、玄関機拡声スピーカという。）２２と、呼出操作を行った来訪者の映像（集合玄関および当該集合玄関の周囲近傍の映像）を撮像するためのカメラ２３とを有している。
【００２５】
図２は、本発明の実施例による集合住宅インターホンシステムにおいて、複数の親機１ａ、１ｂ、・・・の構成を示す回路ブロック図である。
【００２６】
図２の回路ブロック図において、複数の親機１ａ、１ｂ、・・・はそれぞれ同様な構成であり、上述の親機拡声スピーカ１０、親機マイク１１、モニタ１２と、当該親機の構成各部を制御（信号処理による呼出報知制御、通話制御、映像出画制御等）するための制御回路１３と、居住者による親機拡声スピーカ１０および親機マイク１１を用いた通話が行われていない待受状態のとき、親機側通話信号線Ｌ1の２本の配線および制御回路１３の間を電気的に切断するためのスイッチ１４ａ、１４ｂ（以下、リレー駆動部１４ａおよびリレースイッチ１４ｂという。）と、親機側通話信号線Ｌ1の２本の配線間であり制御回路１３およびリレースイッチ１４ｂの間に配置され、落雷によるサージ電圧が当該親機へと印加されることを防止するための避雷素子１５と、避雷素子１５と同様、親機側通話信号線Ｌ1の２本の配線間であり制御回路１３およびリレースイッチ１４ｂの間に配置され、他の電気機器にて発生した電磁誘導等により過剰レベルの高電圧が当該親機へと印加されることを防止するための過電圧保護回路１６とが備えられている。
【００２７】
このように構成された本発明の実施例による集合住宅インターホンシステムにおいて、以下、具体的な動作について図面を参照して説明する。
【００２８】
図１のシステム構成図において、複数の親機１ａ、１ｂ、・・・がそれぞれ待受状態には、図２の回路ブロック図に示す制御回路１３によりリレー駆動部１４ａがオフ状態に制御され、リレースイッチ１４ｂが開成されているため、親機側通話信号線Ｌ1の２本の配線と制御回路１３を介して親機拡声スピーカ１０および親機マイク１１との間の通話ラインは電気的に切断されている。
【００２９】
上述のような待受状態において、集合玄関に居る来訪者が、集合住宅のそれぞれの住戸のうち特定の住戸内に在室中の居住者、ここでは、図１のシステム構成図に示す親機１ａが設置された住戸内に在室中の居住者を呼び出すために、集合玄関機２の呼出部２０を用いて所定の呼出操作（詳述せず）を行うと、親機１ａに予め割り当てられている居室番号を含む呼出信号が玄関機側データ信号線Ｌ4を介して制御装置３へと伝送される。
【００３０】
図１のシステム構成図において、制御装置３は、集合玄関機２からの呼出信号に含まれている居室番号に基づいて来訪者から親機１ａが設置されている住戸内に在室中の居住者への呼び出しがあることを検出し、この呼出信号を親機側データ信号線Ｌ2を介して全ての親機１ａ、１ｂ、・・・へと出力（転送出力）する。
【００３１】
また、図２の回路ブロック図において、全ての親機１ａ、１ｂ、・・・の制御回路１３（１３、１３、・・・）は、親機側データ伝送線Ｌ2を介して伝送されてきた呼出信号に含まれている居室番号と自端末が有する居室番号とを照合し、当該居室番号が一致した場合にのみ親機拡声スピーカ１０から呼出音を出力させて呼出報知を行う。ここでは、親機１ａの制御回路１３のみ当該居室番号が一致して上述の呼出報知が行われる。
【００３２】
さらに、上述の呼出報知を確認した居住者が適宜に応答（詳述せず）すると、図２の回路ブロック図に示す親機１ａの制御回路１３の制御によりリレー駆動部１４ａがオフ状態からオン状態へと切り替えられ、リレースイッチ１４ｂが閉成されることから、居住者が用いる親機拡声スピーカ１０および親機マイク１１と、制御回路１３、親機側通話信号線Ｌ1の２本の配線間、図１のシステム構成図に示す制御装置３、玄関機側通話信号線Ｌ3の２本の配線間を介して来訪者が用いる集合玄関機２の玄関機マイク２１および玄関機拡声スピーカ２２との間の通話ラインが形成され、形成された通話ラインを介して周波数帯域が１０ｋＨｚ以下とされる音声信号を送受信させることにより通話を行うことができ、通話状態である親機１ａは、親機側通話信号線Ｌ1の２本の配線間に特定のインピーダンスを有している。
【００３３】
ここで、図２の回路ブロック図において、通話状態である親機１ａを除く他の親機１ｂ、・・・、すなわち、待受状態である親機１ｂ、・・・のリレースイッチ１４ｂ（１４ｂ、・・・）は、オフ状態のリレー駆動部１４ａ（１４ａ、・・・）の制御により開成されているため、待受状態である親機１ｂ、・・・の合成インピーダンスが通話状態である親機１ａのインピーダンスに影響を与えることはなく、親機側通話信号線Ｌ1の２本の配線間のインピーダンスを理想的な値、例えば、５０〜１００ｋΩの値で確保できる。ゆえに、図１のシステム構成図に示す集合玄関機２の玄関機マイク２１から入力された来訪者の送話音声が当該集合玄関機の玄関機拡声スピーカ２２から出力されるようなハウリングの発生を防止でき、上述の来訪者の送話音声であり玄関機側通話信号線Ｌ3、制御装置３、親機側通話信号線Ｌ1を介して伝送されてくる音声信号は、周波数帯域を従来例のように意図的に減衰させなくとも、良好な通話音質を有する受話音声として通話状態である親機１ａの親機拡声スピーカ１０から出力される。
【００３４】
次に、上述のように、図１のシステム構成図に示す複数の親機１ａ、１ｂ、・・・のうち、親機１ａが通話状態である場合において、上述の避雷素子１５（１５、１５、・・・）が当該親機にそれぞれ配置されていると、通話状態である親機１ａの制御回路１３は、リレー駆動部１４ａへの制御を維持してリレースイッチ１４ｂの閉成状態を保持させる、一方、待受状態である親機１ｂ、・・・の制御回路１３（１３、・・・）についてもリレー駆動部１４ａ（１４ａ、・・・）への制御を維持してリレースイッチ１４ｂ（１４ｂ、・・・）の開成状態を保持させることにより、避雷素子１５（１５、１５、・・・）が有する抵抗成分および容量成分により親機側通話信号線Ｌ1の２本の配線間のインピーダンスが低くなることはなく、待受状態である親機１ｂ、・・・の合成インピーダンスが通話状態である親機１ａのインピーダンスに影響を与えないため、親機側通話信号線Ｌ1の２本の配線間のインピーダンスを理想的な値、例えば、５０〜１００ｋΩの値で確保できる。ゆえに、避雷素子１５（１５、１５、・・・）を当該親機にそれぞれ配置させた場合でも、図１のシステム構成図に示す集合玄関機２の玄関機マイク２１から入力された来訪者の送話音声が当該集合玄関機の玄関機拡声スピーカ２２から出力されるようなハウリングの発生を防止でき、上述の来訪者の送話音声であり玄関機側通話信号線Ｌ3、制御装置３、親機側通話信号線Ｌ1を介して伝送されてくる音声信号は、周波数帯域を従来例のように意図的に減衰させなくとも、良好な通話音質を有する受話音声として通話状態である親機１ａの親機拡声スピーカ１０から出力される。
【００３５】
次に、上述のように、図１のシステム構成図に示す複数の親機１ａ、１ｂ、・・・のうち、親機１ａが通話状態である場合において、上述の過電圧保護回路１６（１６、１６、・・・）が当該親機にそれぞれ配置されていると、通話状態である親機１ａの制御回路１３は、リレー駆動部１４ａへの制御を維持してリレースイッチ１４ｂの閉成状態を保持させる、一方、待受状態である親機１ｂ、・・・の制御回路１３（１３、・・・）についてもリレー駆動部１４ａ（１４ａ、・・・）への制御を維持してリレースイッチ１４ｂ（１４ｂ、・・・）の開成状態を保持させることにより、過電圧保護回路１６（１６、１６、・・・）が有する抵抗成分および容量成分により親機側通話信号線Ｌ1の２本の配線間のインピーダンスが低くなることはなく、待受状態である親機１ｂ、・・・の合成インピーダンスが通話状態である親機１ａのインピーダンスに影響を与えないため、親機側通話信号線Ｌ1の２本の配線間のインピーダンスを理想的な値、例えば、５０〜１００ｋΩの値で確保できる。ゆえに、過電圧保護回路１６（１６、１６、・・・）を当該親機にそれぞれ配置させた場合でも、図１のシステム構成図に示す集合玄関機２の玄関機マイク２１から入力された来訪者の送話音声が当該集合玄関機の玄関機拡声スピーカ２２から出力されるようなハウリングの発生を防止でき、上述の来訪者の送話音声であり玄関機側通話信号線Ｌ3、制御装置３、親機側通話信号線Ｌ1を介して伝送されてくる音声信号は、周波数帯域を従来例のように意図的に減衰させなくとも、良好な通話音質を有する受話音声として通話状態である親機１ａの親機拡声スピーカ１０から出力される。
【００３６】
なお、本発明の実施例による集合住宅インターホンシステムでは、親機側通話信号線Ｌ51に異常が発生した場合に備えて、当該親機側通話信号線Ｌの２本の配線間であり制御回路１３およびリレースイッチ１４ｂの間に配置される機器として、避雷素子１５および過電圧保護回路１６が備えられた複数の親機１ａ、１ｂ、・・・を適用したが、これに限定されず、避雷素子１５および過電圧保護回路１６のうち何れか一方が備えられた当該親機も好適である。
【図面の簡単な説明】
【００３７】
【図１】図１は、本発明の実施例による集合住宅インターホンシステムを示すシステム構成図である。
【図２】図２は、本発明の実施例による集合住宅インターホンシステムにおいて、複数の親機の構成を示す回路ブロック図である。
【図３】図３は、従来例の集合住宅インターホンシステムを示すシステム構成図である。
【符号の説明】
【００３８】
１ａ、１ｂ、・・・ ……複数の親機
１０……親機拡声スピーカ（拡声スピーカ）
１３……制御回路
１４ａ……（スイッチを構成する）リレー駆動部
１４ｂ……（スイッチを構成する）リレースイッチ
１５……避雷素子
１６……過電圧保護回路
２……集合玄関機
３……制御装置
Ｌ1……親機側通話信号線（通話信号線）
Ｌ2……親機側データ信号線（データ信号線）
【図１】
2005117471.tif 000003
【図２】
2005117471.tif 000004
【図３】
2005117471.tif 000005